(57)【特許請求の範囲】
【請求項１】
中空のスリーブと、
前記スリーブの一端に前記スリーブに対して回転可能に装着される筆先部と、
当接部を有する当止部材と、
前記スリーブと前記当止部材との間に設置される弾性部材と、
を備えてなるタッチペンであって、
前記筆先部の一端には係合凹所が設けられており、初期状態において、前記当接部と前記係合凹所とは前記弾性部材の弾力により互いに係合し、
使用する場合、前記筆先部は外力により前記スリーブに対して傾斜する時に、前記当接部は前記係合凹所から離脱すると共に、前記弾性部材に弾力を蓄積させ、
使用終了後、前記弾性部材は弾力を解放して前記当接部を再び前記係合凹所に係合させることによって前記筆先部が初期位置に復元されることを特徴とするタッチペン。
【請求項２】
前記スリーブの一端には回転軸が設けられ、前記筆先部は前記回転軸を介して前記スリーブに装着されることを特徴とする請求項１に記載のタッチペン。
【請求項３】
前記タッチペンは、前記スリーブに収納される取付部をさらに含み、前記当止部材は前記取付部内にスライド可能に装着され、前記筆先部は前記回転軸を介して前記取付部に回転可能に装着されることを特徴とする請求項２に記載のタッチペン。
【請求項４】
前記タッチペンは、前記取付部に装着される位置決め部材をさらに含み、前記弾性部材は前記位置決め部材と前記当止部材との間に挟持されることを特徴とする請求項３に記載のタッチペン。
【請求項５】
前記取付部の対向する両側には、その長手軸方向に沿ってそれぞれ１つのスライド溝が設けられ、前記当止部材の周縁には２つのスライドピンが突設され、前記スライドピンは前記スライド溝に収納されることを特徴とする請求項３に記載のタッチペン。
【発明の詳細な説明】
【技術分野】
【０００１】
本発明は、タッチペンに関し、特に携帯式電子装置のタッチパネルに用いられるタッチペンに関するものである。
【背景技術】
【０００２】
現在市販されている携帯電話、個人用携帯情報端末（ＰＤＡ）及びパソコン等の電子装置の殆んどは、タッチパネルを備えている。これらの電子装置は、一般的にタッチペンを入力手段として使用する。
【発明の概要】
【発明が解決しようとする課題】
【０００３】
しかし、従来のタッチペンにおいて、筆先部と筆軸部とは互いに回転せずに連結されているため、ユーザーの好みによってタッチペンの使用角度を調整することができないという欠点がある。
【０００４】
本発明は、上記の問題点に鑑みてなされたものであり、筆先部の使用角度を調整することができるタッチペンを提供することを目的とする。
【課題を解決するための手段】
【０００５】
上記の目的を達成するために、本発明のタッチペンは、中空のスリーブと、前記スリーブの一端に回転可能に装着される筆先部と、当接部を有する当止部材と、前記スリーブと前記当止部材との間に設置される弾性部材と、を備えてなる。前記筆先部の一端には係合凹所が設けられておる。初期状態において、前記当接部と前記係合凹所とは前記弾性部材の弾力により互いに係合し、使用する場合、前記筆先部は外力により前記スリーブに対して傾斜する時に、前記当接部は前記係合凹所から離脱すると共に、前記弾性部材に弾力を蓄積させ、使用終了後、前記弾性部材は弾力を解放して前記当接部を再び前記係合凹所に係合させる。
【発明の効果】
【０００６】
従来の技術に比べて、本発明に係るタッチペンの筆先部は、ユーザーの書き習慣及び入力力度に基づいて、回転軸を巡って回転しながら前記タッチパネルとの傾斜角度を自然的に調整するので、入力操作はもっとスムーズになる。
【図面の簡単な説明】
【０００７】
【図１】本発明の実施形態に係るタッチペンの立体分解図である。
【図２】図１に示したタッチペンの組立図である。
【図３】図２におけるＩＩＩ−ＩＩＩ線に沿うタッチペンの断面図である。
【図４】図３に示したタッチペンが使用状態での断面図である。
【発明を実施するための形態】
【０００８】
図１に示したように、本発明の実施形態に係るタッチペン１００は、スリーブ１０と、取付部２０と、前記取付部２０の一端に回転可能に装着される筆先部３０と、前記筆先部３０に弾性的に当止し且つ前記取付部２０に対してスライドできる当止部材４０と、前記取付部２０の他端に固定される位置決め部材５０と、前記当止部材４０と前記位置決め部材５０との間に位置する弾性部材６０と、回転軸７０と、位置決めピン８０と、を備える。前記筆先部３０は前記回転軸７０を介して前記取付部２０に回転可能に装着され、前記取付部２０の両側から露出する前記回転軸７０の両端は前記スリーブ１０に係止されて前記取付部２０を前記スリーブ１０内に固定する。前記位置決め部材５０は、前記位置決めピン８０を介して前記取付部２０に装着される。
【０００９】
前記スリーブ１０には、その長手軸方向に沿って前記取付部２０を収納するための中空部１２が設けられている。前記スリーブ１０の一端の周壁１６には、２つの第一軸穴１４が対称的に設けられている。前記回転軸７０は、前記第一軸穴１４を介して前記スリーブ１０に装着される。
【００１０】
前記取付部２０は中空の筒状体であり、周壁２２及び前記周壁２２により取囲んで形成される収容部２４を含む。前記収容部２４は前記当止部材４０及び前記弾性部材６０を収納することができる。前記取付部２０の一端の前記周壁２２には、同軸線上に位置する２つのピン穴２２２と、前記ピン穴２２２の接続線に対して対称に設置される２つの切欠部２２４と、が設けられる。前記ピン穴２２２を介して、前記位置決めピン８０を前記取付部２０に装着する。前記取付部２０の他端の前記周壁２２には、前記回転軸７０が貫通するための２つの第二軸穴２２６が対称的に設けられている。各々の切欠部２２４は、位置決め溝２２４２及び前記位置決め溝２２４２に連通するスライド溝２２４４を含む。前記位置決め溝２２４２は前記位置決め部材５０を係止することに用いられる。前記スライド溝２２４４は、前記位置決め溝２２４２の下端から前記取付部２０の他端に向って延在し、前記スライド溝２２４４の幅は前記位置決め溝２２４２の幅より小さい。前記スライド溝２２４４は、前記当止部材４０をガイドして前記取付部２０内で順調にスライドするようにする。
【００１１】
前記筆先部３０は、回転部３２、前記回転部３２の底部から延在するロッド部３４及び前記ロッド部３４の自由端に形成される入力部３６を備える。前記回転部３２は略球状であり、その内部には前記回転軸７０を装着するための貫通穴３２２が設けられている。前記回転部３２の前記ロッド部３４から離れる頂部には、前記当止部材４０に当止する錐状の係合凹所３２４が設けられている。前記入力部３６は扁平な円盤であり、電子装置のタッチパネルにタッチ操作をすることに用いられ、且つ前記ロッド部３４と鈍角をなして連結する。
【００１２】
前記当止部材４０は、円形の本体部４２、前記本体部４２の軸方向の一方側から突出する当接部４４、前記本体部４２の径方向の両側から突出する２つのスライドピン４６及び前記本体部４２の他方側から突出する柱状体４８を備える。前記当接部４４の形状は前記筆先部３０の係合凹所３２４の形状に合致するので、前記係合凹所３２４内に収納されて当止されることができる。前記２つのスライドピン４６は同軸線上に位置し、前記取付部２０のスライド溝２２４４内にスライド可能に設置される。前記弾性部材６０が、前記柱状体４８に套設されて、前記柱状体４８の軸方向に沿って移動できない。
【００１３】
前記位置決め部材５０は、前記弾性部材６０の一端に当止する円形の主体板５２、前記主体板５２の片側から主体板５２の板面と直交した方向に突出する固定片５４及び前記主体板５２の径方向の両側から突出する２つの位置決め用ブロック５６を備える。前記固定片５４には固定穴５４２が設けられ、前記位置決めピン８０を前記固定穴５４２に貫くことにより、前記位置決め部材５０を前記取付部２０に装着する。２つの前記位置決め用ブロック５６は、それぞれ前記取付部２０の両側の２つの位置決め溝２２４２に係合される。本実施形態において、前記弾性部材６０は圧縮スプリングであり、前記筆先部３０に元の位置に戻る弾性力を提供する。
【００１４】
以下、図１乃至図３を参照しながら、本発明のタッチペン１００を組み立てる場合の順序について詳細に説明する。
【００１５】
まず、前記当止部材４０のスライドピン４６を前記切欠部２２４に設置して、前記当止部材４０を前記スライド溝２２４４に沿って前記取付部２０の収容部２４に装入する。続いて、前記弾性部材６０を前記当止部材４０の柱状体４８に套設する。次に、前記位置決め部材５０の２つの位置決め用ブロック５６を前記取付部２０の２つの位置決め溝２２４２に係合して、前記位置決め部材５０を前記位置決め溝２２４２に沿って前記取付部２０の収容部２４に装入して、前記主体板５２を前記弾性部材６０上に圧接させる。続いて、前記固定片５４の位置を調整して、前記固定穴５４２と前記取付部２０のピン穴２２２とを位置合せてから、前記ピン穴２２２及び前記固定穴５４２に前記位置決めピン８０を挿入して、前記位置決め部材５０を前記取付部２０に固定する。最後に、前記取付部２０を前記スリーブ１０の中空部１２内に押し込んで、前記取付部２０を回転して前記第二軸穴２２６と前記第一軸穴１４とを位置合せてから、前記筆先部３０の回転部３２を前記取付部２０の一端に装入すると共に、前記貫通穴３２２と前記取付部２０の第二軸穴２２６との位置を合せ、前記取付部２０内に固定された前記当止部材４０の当接部４４を前記筆先部３０の係合凹所３２４に係合させる。続いて、前記第一軸穴１４、前記第二軸穴２２６及び前記貫通穴３２２に前記回転軸７０を挿入して、前記取付部２０を前記スリーブ１０内に固定し、前記筆先部３０を前記取付部２０に回転可能に装着する。
【００１６】
図４に示したように、前記タッチペン１００を使用する場合、前記筆先部３０は外力（前記入力部３６とタッチパネルとの間に発生する接触力）を受けて前記回転軸７０を巡って一定の角度に傾斜し、前記筆先部３０の入力部３６は電子装置のタッチパネルに始終当止されてタッチ操作する。前記筆先部３０は、外力により傾斜しながら前記回転部３２を連動して傾斜させて、前記係合凹所３２４は前記当止部材４０の当接部４４から離脱すると共に、前記係合凹所３２４の内周壁は前記当止部材４０を前記位置決め部材５０へ突き上げて、前記弾性部材６０を圧縮して反発力を蓄積させる。前記筆先部３０への外力を除去すると、前記弾性部材６０は弾発力を解放して前記筆先部３０に向って前記当止部材４０を押圧して、前記当接部４４を再び前記係合凹所３２４内に係合させる。この際、前記タッチペン１００の筆先部３０は初期位置に復帰する。付き加えて説明すると、前記筆先部３０のロッド部３４は前記取付部２０の周壁２２に当止されると、前記筆先部３０の傾斜角度は一番大きくなる。
【００１７】
なお、前記回転部３２は球形に限定されるものではなく、前記取付部２０内で回転できる他の形状でもよい。
【００１８】
なお、前記筆先部３０の係合凹所３２４の形状は錐状に限定されるものではなく、円弧形のような他の形状でもよい。
【００１９】
なお、上記の実施形態において、前記位置決め部材５０の位置決め用ブロック５６を前記取付部２０の位置決め溝２２４２に係合することにより、前記位置決め部材５０を前記取付部２０に固定するが、前記位置決め溝２２４２を省略して、前記位置決めピン８０だけで前記位置決め部材５０を前記取付部２０に固定することができる。
【００２０】
なお、前記スリーブ１０、前記取付部２０及び前記筆先部３０は、すべて導電的な材質から製作され、前記スリーブ１０及び前記筆先部３０は電気的に導通している。
【００２１】
本発明によれば、前記タッチペン１００の筆先部３０は、ユーザーの書き習慣及び入力力度に基づいて、前記回転軸７０を巡って回転しながら前記タッチパネルとの傾斜角度を自然的に調整するので、入力操作はもっとスムーズになる。初期状態では、前記筆先部３０は予定方向へ指向し、前記タッチペン１００を使用する場合、前記筆先部３０はタッチパネルとの接触力により初期位置から逸れると共に、前記弾性部材６０を圧縮して反発力を蓄積させる。使用終了後、前記筆先部３０が前記接触力から解除され、前記弾性部材６０は反発力を解放して前記筆先部３０を初期位置に復帰させる。
【００２２】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２３】
１０          スリーブ
１２          中空部
１４          第一軸穴
１６          周壁
２０          取付部
２２          周壁
２４          収容部
３０          筆先部
３２          回転部
３４          ロッド部
３６          入力部
４０          当止部材
４２          本体部
４４          当接部
４６          スライドピン
４８          柱状体
５０          位置決め部材
５２          主体板
５４          固定片
５６          位置決め用ブロック
６０          弾性部材
７０          回転軸
８０          位置決めピン
１００        タッチペン
２２２        ピン穴
２２４        切欠部
２２６        第二軸穴
３２２        貫通穴
３２４        係合凹所
５４２        固定穴
２２４２      位置決め溝
２２４４      スライド溝
【図１】
0005473976.tif 000002
【図２】
0005473976.tif 000003
【図３】
0005473976.tif 000004
【図４】
0005473976.tif 000005